(57)【要約】  【課題】  各種の処理を実行させるためのメニュー画像を表示させる際に必要なユーザによるキー操作を簡略化することが可能な電気機器を提供する。  【解決手段】  記録再生装置１が実行可能な処理のうちからユーザによりいずれかの処理の選択を受け付け、選択を受け付けた処理に対応する項目コードをＲＡＭ１２のユーザ登録情報１２ａに記憶しておく。制御部１０は、ユーザからの指示により、ユーザ登録情報１２ａに記憶してある各項目コードに基づいて、ユーザにより選択された処理を示す処理項目を表記したお好みメニュー画像を作成し、液晶テレビ２のモニタ部２７に表示させる。また、表示されたお好みメニューに従って、ユーザが所望の処理項目を選択した場合に、制御部１０は、選択された処理項目に対応する制御プログラムをＲＯＭ１１からＲＡＭ１２に読み出して実行する。【選択図】      図１
2005354184.tif 000002
【特許請求の範囲】
【請求項１】
複数の処理項目を表記する複数のメニュー画像を切り替えて表示することが可能な表示部と、いずれかのメニュー画像で表記される処理項目から１つの選択を受け付ける選択受付手段と、該選択受付手段が選択を受け付けた処理項目に係る処理を実行する実行手段とを備える電気機器において、
各メニュー画像で表記される処理項目のそれぞれに対応するコードを規定したテーブルと、
全ての処理項目のうちのいずれかの処理項目の選択を受け付ける受付手段と、
該受付手段が選択を受け付けた処理項目に対応するコードを記憶するコード記憶手段と、
該コード記憶手段に記憶してあるコードに基づいて、選択を受け付けた処理項目を表記するメニュー画像を作成する作成手段と
を備え、
前記表示部は、前記作成手段が作成したメニュー画像を表示するように構成してあることを特徴とする電気機器。
【請求項２】
複数の処理項目を表記する複数のメニュー画像のそれぞれを、外部の表示装置に接続される接続部から出力する出力手段と、いずれかのメニュー画像で表記される処理項目から１つの選択を受け付ける選択受付手段と、該選択受付手段が選択を受け付けた処理項目に係る処理を実行する実行手段とを備える電気機器において、
各メニュー画像で表記される処理項目のそれぞれに対応するコードを規定したテーブルと、
全ての処理項目のうちのいずれかの処理項目の選択を受け付ける受付手段と、
該受付手段が選択を受け付けた処理項目に対応するコードを記憶するコード記憶手段と、
該コード記憶手段に記憶してあるコードに基づいて、選択を受け付けた処理項目を表記するメニュー画像を作成する作成手段と
を備え、
前記出力手段は、前記作成手段が作成したメニュー画像を前記表示装置へ出力するように構成してあることを特徴とする電気機器。
【請求項３】
複数のユーザの設定を受け付けるユーザ設定受付手段を備え、
前記受付手段は、設定を受け付けたユーザ毎に、全ての処理項目のうちのいずれかの処理項目の選択を受け付けるように構成してあり、
前記コード記憶手段は、設定を受け付けたユーザ毎に、前記受付手段が選択を受け付けた処理項目に対応するコードを記憶する構成としてあり、
前記作成手段は、
設定を受け付けたユーザに対応して前記コード記憶手段に記憶してあるコードを読み出す手段と、
読み出したコードに基づいて、前記ユーザに対応するメニュー画像を作成する手段とを備えること
を特徴とする請求項１又は２に記載の電気機器。
【請求項４】
前記ユーザ設定受付手段が設定を受け付けたユーザのうちのいずれかのユーザの選択を受け付けるユーザ選択受付手段を備え、
前記選択受付手段は、前記ユーザ選択受付手段が選択を受け付けたユーザに対応して前記作成手段が作成したメニュー画像で表記される処理項目から１つの選択を受け付けるように構成してあること
を特徴とする請求項３に記載の電気機器。
【請求項５】
前記受付手段が選択を受け付けた処理項目に対応して、メニュー画像中の配置位置を受け付ける位置受付手段を備え、
前記作成手段は、前記位置受付手段が受け付けた配置位置に応じた箇所に、対応する処理項目を表記するメニュー画像を作成するように構成してあること
を特徴とする請求項１乃至４のいずれかひとつに記載の電気機器。
【発明の詳細な説明】
【技術分野】
【０００１】
本発明は、メニュー画像で表記される処理項目から選択された処理項目に係る処理を実行する電気機器に関するものである。
【背景技術】
【０００２】
テレビジョン放送信号を受信するテレビジョン装置、該テレビジョン装置に接続され、受信したテレビジョン放送信号を記録媒体に記録し、必要に応じて接続されたテレビジョン装置で再生する記録再生装置等の各種の電気機器が普及している。また、各種の電気機器の多機能化が目覚しく、このような装置が備えるそれぞれの機能における各種の設定条件をユーザが適切に設定することにより、ユーザが所望する設定条件にて電気機器を動作させることができる。
【０００３】
テレビジョン装置においては、例えば、テレビジョン装置のモニタの明るさをユーザが見易い明るさに変更することができる。このような設定条件は、各設定条件を設定するためのメニュー画面をモニタに表示させ、階層的に表示されるメニュー画面を順次切り替えることにより表示された所望のメニュー画面の指示に従って設定することができる（例えば、特許文献１参照）。
【特許文献１】特開平７−１２９３５０号公報
【発明の開示】
【発明が解決しようとする課題】
【０００４】
しかし、近年の電気機器には多数の機能が搭載されており、上述したような階層的に表示されるメニュー画面に従って所望の設定条件を設定する場合には、所望のメニュー画面の表示に到達するまでに非常に煩雑なキー操作を強いられると共に、十分な操作時間を要するという問題がある。
【０００５】
本発明は斯かる事情に鑑みてなされたものであり、各種の処理を実行させるためのメニュー画像を表示させる際に必要なユーザによるキー操作を簡略化することができる電気機器を提供することを目的とする。また、ユーザ毎にメニュー画像に表記させる各項目を設定することができ、それぞれのユーザが操作し易いメニュー画像を表示させることができる電気機器を提供することを他の目的とする。
【課題を解決するための手段】
【０００６】
本発明に係る電気機器は、複数の処理項目を表記する複数のメニュー画像を切り替えて表示することが可能な表示部と、いずれかのメニュー画像で表記される処理項目から１つの選択を受け付ける選択受付手段と、該選択受付手段が選択を受け付けた処理項目に係る処理を実行する実行手段とを備える電気機器において、各メニュー画像で表記される処理項目のそれぞれに対応するコードを規定したテーブルと、全ての処理項目のうちのいずれかの処理項目の選択を受け付ける受付手段と、該受付手段が選択を受け付けた処理項目に対応するコードを記憶するコード記憶手段と、該コード記憶手段に記憶してあるコードに基づいて、選択を受け付けた処理項目を表記するメニュー画像を作成する作成手段とを備え、前記表示部は、前記作成手段が作成したメニュー画像を表示するように構成してあることを特徴とする。
【０００７】
本発明による場合は、表示部に表示されるメニュー画像によって表記される処理項目から選択された１つの処理項目に係る処理を実行する電気機器が、全ての処理項目のうちのいずれかの処理項目の選択を受け付け、選択を受け付けた処理項目に対応するコードを記憶しておき、記憶したコードに基づいて、選択された処理項目を表記するメニュー画像を作成し、作成したメニュー画像を表示する。よって、実行指示を受け付けるためのメニュー画像に、任意の処理項目を表記させることが可能となる。
【０００８】
本発明に係る電気機器は、複数の処理項目を表記する複数のメニュー画像のそれぞれを、外部の表示装置に接続される接続部から出力する出力手段と、いずれかのメニュー画像で表記される処理項目から１つの選択を受け付ける選択受付手段と、該選択受付手段が選択を受け付けた処理項目に係る処理を実行する実行手段とを備える電気機器において、各メニュー画像で表記される処理項目のそれぞれに対応するコードを規定したテーブルと、全ての処理項目のうちのいずれかの処理項目の選択を受け付ける受付手段と、該受付手段が選択を受け付けた処理項目に対応するコードを記憶するコード記憶手段と、該コード記憶手段に記憶してあるコードに基づいて、選択を受け付けた処理項目を表記するメニュー画像を作成する作成手段とを備え、前記出力手段は、前記作成手段が作成したメニュー画像を前記表示装置へ出力するように構成してあることを特徴とする。
【０００９】
本発明による場合は、外部の表示装置に表示させたメニュー画像によって表記される処理項目から選択された１つの処理項目に係る処理を実行する電気機器が、全ての処理項目のうちのいずれかの処理項目の選択を受け付け、選択を受け付けた処理項目に対応するコードを記憶しておき、記憶したコードに基づいて、選択された処理項目を表記するメニュー画像を作成し、作成したメニュー画像を前記表示装置に表示させる。よって、実行指示を受け付ける際に外部の表示装置に表示させるメニュー画像に、任意の処理項目を表記させることが可能となる。
【００１０】
本発明に係る電気機器は、複数のユーザの設定を受け付けるユーザ設定受付手段を備え、前記受付手段は、設定を受け付けたユーザ毎に、全ての処理項目のうちのいずれかの処理項目の選択を受け付けるように構成してあり、前記コード記憶手段は、設定を受け付けたユーザ毎に、前記受付手段が選択を受け付けた処理項目に対応するコードを記憶する構成としてあり、前記作成手段は、設定を受け付けたユーザに対応して前記コード記憶手段に記憶してあるコードを読み出す手段と、読み出したコードに基づいて、前記ユーザに対応するメニュー画像を作成する手段とを備えることを特徴とする。
【００１１】
本発明による場合は、複数のユーザの設定を受け付けており、設定を受け付けたユーザ毎に、全ての処理項目のうちのいずれかの処理項目の選択を受け付け、設定を受け付けたユーザ毎に、選択を受け付けた処理項目に対応するコードを記憶しておき、設定を受け付けたユーザに対応して記憶してあるコードに基づいて、前記ユーザに対応するメニュー画像を作成し、作成したメニュー画像を自身の表示部または外部の表示装置に表示させる。よって、実行指示を受け付けるために表示させるメニュー画像に表記される任意の処理項目をユーザ毎に選択することが可能となる。
【００１２】
本発明に係る電気機器は、前記ユーザ設定受付手段が設定を受け付けたユーザのうちのいずれかのユーザの選択を受け付けるユーザ選択受付手段を備え、前記選択受付手段は、前記ユーザ選択受付手段が選択を受け付けたユーザに対応して前記作成手段が作成したメニュー画像で表記される処理項目から１つの選択を受け付けるように構成してあることを特徴とする。
【００１３】
本発明による場合は、設定を受け付けたユーザのうちのいずれかのユーザの選択を受け付け、選択を受け付けたユーザに対応するメニュー画像を自身の表示部または外部の表示装置に表示させ、表示させたメニュー画像によって表記される処理項目から選択された１つの処理項目に係る処理を実行することにより、ユーザ毎に選択された処理項目を表記するメニュー画像に従って、所望の処理を容易に実行させることが可能となる。
【００１４】
本発明に係る電気機器は、前記受付手段が選択を受け付けた処理項目に対応して、メニュー画像中の配置位置を受け付ける位置受付手段を備え、前記作成手段は、前記位置受付手段が受け付けた配置位置に応じた箇所に、対応する処理項目を表記するメニュー画像を作成するように構成してあることを特徴とする。
【００１５】
本発明による場合は、メニュー画像に表示させるべく選択を受け付けた処理項目のそれぞれに対応して、前記メニュー画像中の配置位置を受け付け、受け付けた配置位置に応じた箇所に対応する処理項目を表記するメニュー画像を作成し、作成したメニュー画像を自身の表示部または外部の表示装置に表示させる。よって、実行指示を受け付けるために表示させるメニュー画像に表記される各処理項目を任意に選択することが可能となると共に、より操作し易い配置位置でそれぞれの処理項目を表記することが可能となる。
【発明の効果】
【００１６】
本発明では、自身の表示部または外部の表示装置に表示されるメニュー画像によって表記される処理項目から選択された１つの処理項目に係る処理を実行する電気機器において、実行指示を受け付けるためのメニュー画像に任意の処理項目を表記させることにより、例えば、実行頻度が高い処理を示す処理項目の一覧をメニュー画像として表示させた場合には、実行頻度の高い処理を実行させる際のユーザによるキー操作を簡略化することができる。
【００１７】
本発明では、複数のユーザの設定を受け付けており、設定を受け付けたユーザ毎に、全ての処理項目のうちのいずれかの処理項目の選択を受け付け、設定を受け付けたユーザ毎に、選択を受け付けた処理項目に対応するコードを記憶しておき、設定を受け付けたユーザに対応して記憶してあるコードに基づいて、前記ユーザに対応するメニュー画像を作成する。よって、ユーザ毎に選択された任意の処理項目を表記するメニュー画像を自身の表示部または外部の表示装置に表示させることができる。従って、ユーザは、自身が操作し易いメニュー画像に基づいて、所望の処理を容易に実行させることができる。
【００１８】
本発明では、それぞれのユーザに対応して作成されたメニュー画像を自身の表示部または外部の表示装置に表示させ、表示させたメニュー画像によって表記される処理項目から選択された１つの処理項目に係る処理を実行することにより、それぞれのユーザは、選択した所望の処理項目を表記するメニュー画像に従って、所望の処理を容易に実行させることができ、それぞれのユーザが操作し易いメニュー画像を表示させることができる。
【００１９】
本発明では、メニュー画像に表記させるべく選択される処理項目のそれぞれに対応して、前記メニュー画像中の配置位置を受け付け、受け付けた配置位置に応じた箇所に対応する処理項目を表記するメニュー画像を作成する。よって、実行指示を受け付けるためにメニュー画像に表記される各処理項目を任意に選択することができると共に、それぞれの処理項目の配置位置を指定することができ、ユーザのキー操作をより簡略化できるメニュー画像を表示することができる。
【発明を実施するための最良の形態】
【００２０】
以下に、本発明に係る電気機器を、その実施の形態である記録再生装置および液晶表示テレビジョン装置（以下、液晶テレビという）を示す図面に基づいて詳述する。図１は本発明に係る電気機器としての記録再生装置および液晶テレビの構成例を示すブロック図である。図中１は本発明の電気機器としての記録再生装置を、２は本発明の電気機器としての液晶テレビをそれぞれ示している。記録再生装置１は液晶テレビ２に接続して利用され、記録再生装置１が録画した放送番組を液晶テレビ２によって再生させることができる。なお、記録再生装置１及び液晶テレビ２はそれぞれ、図示しないリモートコントロール装置（以下、リモコン装置という）によって遠隔から操作することができる。
【００２１】
記録再生装置１と液晶テレビ２とは、映像信号用の映像ケーブル及び音声信号用の音声ケーブルによって接続されている。また、記録再生装置１及び液晶テレビ２は、それぞれのリモコン装置と、赤外線を利用したＩｒＤＡ（Infrared Data Association）規格に従う無線通信が可能に構成されている。なお、記録再生装置１及び液晶テレビ２と、それぞれのリモコン装置とを、赤外線を利用した無線通信だけでなく、例えば、ＩＥＥＥ８０２．１１ｂ規格に準拠した無線ＬＡＮ、及びBluetooth規格に従う無線通信等の無線通信が可能に接続してもよい。
【００２２】
液晶テレビ２は、制御部２０、ＲＯＭ２１、ＲＡＭ２２、リモコン装置からの赤外線を受光する赤外線受光部２３、リモコンコード解析部２４、チューナ２５、ＯＳＤ（On Screen Display）回路２６、モニタ部２７、映像ケーブル及び音声ケーブルを介して記録再生装置１と接続するための接続部２８、操作部２９及び操作キー解析部３０等を備えている。
【００２３】
制御部２０は、ＣＰＵ（Central Processing Unit ）又はＭＰＵ（Micro Processor Unit）等により構成されており、接続される上述したようなハードウェア各部を制御すると共に、ＲＯＭ２１に予め格納されている制御プログラムを適宜ＲＡＭ２２に読み出して実行する。ＲＯＭ２１は、液晶テレビ２を本発明に係る電気機器として動作させるために必要な種々の制御プログラムを予め記憶している。ＲＡＭ２２は、ＳＲＡＭ又はフラッシュメモリ等で構成され、制御部２０による制御プログラムの実行時に発生するデータを一時的に記憶する。
【００２４】
チューナ２５は、例えばＵＨＦテレビジョン放送信号及びＶＨＦテレビジョン放送信号、ＢＳ放送信号又はＣＳ放送信号等の受信用チューナであり、ユーザにより選択された放送チャンネルに応じた放送番組の番組データに含まれる映像を、接続されたＯＳＤ回路２６を介してモニタ部２７へ入力する。なお、チューナ２５が受信した放送番組の番組データに含まれる音声は、図示しないスピーカへ入力されて音声出力される。
【００２５】
モニタ部２７は、複数の液晶素子を２次元マトリクス状に配列してなる液晶表示パネルにより構成されており、制御部２０からの制御に従ってＯＳＤ回路２６から入力される映像を表示する。なお、ＲＯＭ２１は、ユーザが各種の条件を設定する際にモニタ部２７に階層的に表示させるメニュー画面情報（メニュー画像）を予め記憶しており、制御部２０は、対応するメニュー画面情報をＲＯＭ２１から読み出してＯＳＤ回路２６を介してモニタ部２７に表示させる。ＯＳＤ回路２６は、モニタ部２７に表示したチューナ２５からの映像の上に、制御部２０からのメニュー画面情報に基づくメニュー画面を表示させることができる。
【００２６】
赤外線受光部２３は、リモコン装置からの赤外線を受光して所定の電気信号に変換し、得られた電気信号をリモコンコード解析部２４へ入力する。リモコンコード解析部２４は、赤外線受光部２３から入力された電気信号を解析し、リモコン装置から入力されたコード信号を検出し、検出したコード信号を制御部２０へ送出する。制御部２０は、リモコンコード解析部２４によって解析されたコード信号に対応して実行すべき制御プログラムを、ＲＯＭ２１からＲＡＭ２２に読み出して順次実行する。
【００２７】
操作部２９は、液晶テレビ２をユーザが操作するために必要な各種のキーを備えており、ユーザにより各キーが操作された場合、操作されたキーに対応した信号を操作キー解析部３０へ入力する。操作キー解析部３０は、操作部２９から入力された信号を解析し、操作されたキーに対応するコード信号を検出し、検出したコード信号を制御部２０へ送出する。制御部２０は、リモコンコード解析部２４から取得するコード信号と同様に、操作キー解析部３０によって解析されたコード信号に対応して実行すべき制御プログラムを、ＲＯＭ２１からＲＡＭ２２に読み出して順次実行する。
【００２８】
上述した構成の液晶テレビ２において、ユーザがリモコン装置の所定の操作キーまたは操作部２９の所定の操作キーを適宜操作した場合、制御部２０は、ＲＯＭ２１から対応するメニュー画面情報を読み出してＯＳＤ回路２６へ出力し、ＯＳＤ回路２６を介してモニタ部（表示部）２７に所定のメニュー画面を表示させる。液晶テレビ２においては、例えば、モニタ部２７に関する処理項目を表記するメニュー画面が表示され、ユーザは、このメニュー画面で表示される処理項目から、例えば明るさ調整の処理を選択する。
【００２９】
この場合、制御部２０は、メニュー画面で表示される処理項目からの明るさ調整処理の選択を受け付ける選択受付手段として動作し、選択された処理項目（明るさ調整処理）に基づいて、ＲＯＭ２１から対応する処理命令を読み出して実行する実行手段として動作する。具体的には、制御部２０は、モニタ部２７の明るさを調整するための明るさ調整画面をモニタ部２７に表示させる。従って、ユーザは、表示された明るさ調整画面の指示に従って、所望の明るさに変更することができる。
【００３０】
記録再生装置１は、制御部１０、ＲＯＭ１１、ＲＡＭ１２、リモコン装置からの赤外線を受光する赤外線受光部１３、リモコンコード解析部１４、チューナ１５、記録／再生部１６、映像ケーブル及び音声ケーブルを介して液晶テレビ２と接続するための接続部１７、操作部１８及び操作キー解析部１９等を備えている。
【００３１】
制御部１０は、ＣＰＵ又はＭＰＵ等により構成されており、接続される上述したようなハードウェア各部を制御すると共に、ＲＯＭ１１に予め格納されている制御プログラムを適宜ＲＡＭ１２に読み出して実行する。ＲＯＭ１１は、記録再生装置１を本発明に係る電気機器として動作させるために必要な種々の制御プログラムを予め記憶している。ＲＡＭ１２は、ＳＲＡＭ又はフラッシュメモリ等で構成され、制御部１０による制御プログラムの実行時に発生するデータを一時的に記憶する。
【００３２】
チューナ１５は、例えばＵＨＦテレビジョン放送信号及びＶＨＦテレビジョン放送信号、ＢＳ放送信号又はＣＳ放送信号等の受信用チューナであり、ユーザにより選択された放送チャンネルに応じた放送番組の番組データを、接続された記録／再生部１６へ入力する。記録／再生部１６は、制御部１０に接続されており、制御部１０からの制御に従ってチューナ１５から入力される番組データを、装着された例えばＤＶＤに記録しており、記録再生装置１はＤＶＤレコーダとして機能する。
【００３３】
赤外線受光部１３は、リモコン装置からの赤外線を受光して所定の電気信号に変換し、得られた電気信号をリモコンコード解析部１４へ入力する。リモコンコード解析部１４は、赤外線受光部１３から入力された電気信号を解析し、リモコン装置から入力されたコード信号を検出し、検出したコード信号を制御部１０へ送出する。制御部１０は、リモコンコード解析部１４によって解析されたコード信号に対応して実行すべき制御プログラムを、ＲＯＭ１１からＲＡＭ１２に読み出して順次実行する。
【００３４】
操作部１８は、記録再生装置１をユーザが操作するために必要な各種のキーを備えており、ユーザにより各キーが操作された場合、操作されたキーに対応した信号を操作キー解析部１９へ入力する。操作キー解析部１９は、操作部１８から入力された信号を解析し、操作されたキーに対応するコード信号を検出し、検出したコード信号を制御部１０へ送出する。制御部１０は、リモコンコード解析部１４から取得するコード信号と同様に、操作キー解析部１９によって解析されたコード信号に対応して実行すべき制御プログラムを、ＲＯＭ１１からＲＡＭ１２に読み出して順次実行する。
【００３５】
上述した構成の記録再生装置１において、ユーザがリモコン装置の所定の操作キーまたは操作部１８の所定の操作キーを適宜操作した場合、制御部１０は、ＲＯＭ１１から対応するメニュー画面情報を読み出し、接続部１７を介して液晶テレビ（表示装置）２へ出力する出力手段として動作する。一方、液晶テレビ２の制御部２０は、接続部２８から取得したメニュー画面情報をＯＳＤ回路２６へ出力し、ＯＳＤ回路２６を介してモニタ部２７に表示させる。これにより、記録再生装置１のユーザは、液晶テレビ２を操作する場合と同様に、液晶テレビ２のモニタ部２７に表示させた記録再生装置１におけるメニュー画面に従って、記録再生装置１が有する各種の機能における各条件を設定することができる。
【００３６】
ここで、本実施の形態の液晶テレビ２及び記録再生装置１では、上述したように所定の操作キーを適宜操作することによって所望のメニュー画面を液晶テレビ２のモニタ部２７に表示させて各種の設定条件の変更を行なうことができるだけでなく、ユーザによって選択された設定条件を一覧で表記するメニュー画面（お好みメニュー）をモニタ部２７に表示させ、このお好みメニューを介して、所望の設定条件を変更するためのメニュー画面の表示を指示することができるように構成してある。これにより、ユーザは、例えば、変更頻度の高い設定条件を示す設定項目を表記するお好みメニューに従って、所望の機能を容易に選択して実行させることができる。
【００３７】
以下に、記録再生装置１におけるお好みメニューへの登録処理について説明する。図２はお好みメニューへの登録処理を説明するための模式図である。ユーザは、お好みメニューに表示させたい各種の設定項目を登録する場合、リモコン装置の所定の操作キーまたは操作部１８の所定の操作キーを操作し、図２（ａ）に示すようなユーザ登録画面を液晶テレビ２のモニタ部２７に表示させる。
【００３８】
モニタ部２７に表示されたユーザ登録画面には、記録再生装置１における各種の設定項目であって、お好みメニューに表記できる登録可能な設定項目の一覧が表示される。ユーザは、お好みメニューに表記される各設定項目を、それぞれの表記順序と対応させて登録可能な設定項目から選択する。なお、リモコン装置のカーソルキー（図示せず）によって所望の設定項目を選択し、決定ボタン（図示せず）によって決定することにより、それぞれの表記順序に対応する設定項目を確定することができる。
【００３９】
図２（ａ）においては、１番目に表記される設定項目として「シネマボイス設定」が選択されており、２番目に表記される設定項目として「デジタル出力レベル設定」が選択されており、３番目に表記される設定項目として「字幕言語設定」が選択されている。ここで、更に決定キーが操作されることにより、記録再生装置１の制御部１０は、順次選択された設定項目を受け付ける受付手段として動作し、図２（ｂ）に示すようなユーザ登録情報１２ａをＲＡＭ（コード記憶手段）２２に記憶させる。ユーザ登録情報１２ａは、図２（ｂ）に示すように、それぞれの表記順序に従って、対応する設定項目を示す項目コード（コード）を記憶してある。なお、それぞれの設定項目を示す項目コードは、図２（ｃ）に示すようなＤＶＤ項目テーブル１１ａに予め登録されており、このようなＤＶＤ項目テーブル１１ａはＲＯＭ１１に予め記憶してある。
【００４０】
また、上述したようなユーザ登録情報１２ａがＲＡＭ１２に登録された記録再生装置１において、ユーザがお好みメニューを液晶テレビ２のモニタ部２７に表示させるために所定の操作キーを操作した場合、制御部１０は、ＲＡＭ１２のユーザ登録情報１２ａに登録された設定項目に基づいて図３で示すようなお好みメニューを表示するメニュー画像を作成する作成手段として動作する。なお、制御部１０は、ユーザ登録画面において選択されたそれぞれの設定項目に対応して、それぞれの表記順序が示すメニュー画面中の配置位置を受け付ける位置受付手段として動作しており、それぞれの表記順序が示す配置位置に応じた箇所に、対応する設定項目を表記するメニュー画像を作成する。
【００４１】
制御部１０は、作成したメニュー画像を接続部１７から液晶テレビ２へ転送してモニタ部２７に表示させる。ユーザは、このようなお好みメニューに従って、所望する設定項目を選択することにより、各種の設定条件を設定するためにモニタ部２７に表示させるメニュー画面を容易に選択して表示させることができる。なお、液晶テレビ２においても、上述したようなお好みメニューのユーザ登録を行なうことができ、同様の方法によって登録されるユーザ登録情報２２ａはＲＡＭ２２に記憶される。また、液晶テレビ２における各設定項目を示す項目コードを規定したテレビ項目テーブル２１ａもＲＯＭ２１に予め記憶してある。
【００４２】
以下に、上述した構成の記録再生装置１におけるお好みメニューへの登録処理について説明する。図４は本発明の記録再生装置１によるお好みメニューの登録処理手順を示すフローチャートである。記録再生装置１において、ユーザがリモコン装置の所定の操作キーまたは操作部１８の所定の操作キーを操作することにより、制御部１０は、所定のメニュー画面情報をＲＯＭ１１から読み出し、接続部１７から液晶テレビ２へ転送して液晶テレビ２のモニタ部２７に、図２（ａ）に示すようなユーザ登録画面を表示させる（Ｓ１）。
【００４３】
ユーザ登録画面において、ユーザはカーソルキーの上下キーを操作し、制御部１０は、リモコンコード解析部１４または操作キー解析部１９を介して入力されるコード信号に基づいて、上下キーが操作されたか否かを判断しており（Ｓ２）、上下キーが操作されたと判断した場合（Ｓ２：ＹＥＳ）、登録可能な設定項目の一覧から選択したい設定項目を指示するカーソルを順次移動させる（Ｓ３）。なお、制御部１０は、上下キーが操作されていないと判断した場合（Ｓ２：ＮＯ）、ステップＳ３の処理をスキップする。
【００４４】
また、ユーザは上下キーを用いて、登録可能な設定項目の一覧から、表記順序に対応して所望の設定項目を選択し、決定キーで所望の設定項目を確定する。制御部１０は、リモコンコード解析部１４または操作キー解析部１９を介して入力されるコード信号に基づいて、ユーザによって決定キーが操作されたか否かを判断しており（Ｓ４）、決定キーが操作されていないと判断した場合（Ｓ４：ＮＯ）、ユーザ登録画面の表示を続行し（Ｓ１）、決定キーが操作されたと判断した場合（Ｓ４：ＹＥＳ）、ユーザ登録画面に表示された登録可能な設定項目のうちのカーソルが指示する設定項目を確定し（Ｓ５）、図２（ａ）の右側に示すように確定された設定項目を順次表示させていく。
【００４５】
制御部１０は、次の表記順序に対応する設定項目の選択の受付待ちとなり、ユーザは、ユーザ登録を終了したい場合には再度決定キーを操作する。従って、制御部１０は、リモコンコード解析部１４または操作キー解析部１９を介して入力されるコード信号に基づいて、ユーザによって決定キーが操作されたか否かを判断し（Ｓ６）、決定キーが操作されていないと判断した場合（Ｓ６：ＮＯ）、ステップＳ１の処理に戻り、ユーザ登録画面の表示を続行する（Ｓ１）。制御部１０は、決定キーが操作されたと判断した場合（Ｓ６：ＹＥＳ）、ユーザ登録画面にそれぞれの表記順序に対応して表示された各設定項目を、対応する表記順序と共に図２（ｂ）に示すようなユーザ登録情報１２ａに記憶させる（Ｓ７）。
【００４６】
以下に、上述したようにそれぞれの表記順序に対応して設定項目が登録されたお好みメニューの表示処理について説明する。図５は本発明の記録再生装置１によるお好みメニューの表示処理手順を示すフローチャートである。記録再生装置１において、制御部１０は、リモコンコード解析部１４または操作キー解析部１９を介してコード信号を取得し（Ｓ１１）、取得したコード信号に対応する処理命令がお好みメニューの表示指示であるか否かを判断しており（Ｓ１２）、お好みメニューの表示指示でないと判断した場合（Ｓ１２：ＮＯ）、対応する処理命令を実行する（Ｓ１８）。
【００４７】
一方、取得したコード信号に対応する処理命令がお好みメニューの表示指示であると判断した場合（Ｓ１２：ＹＥＳ）、制御部１０は、ＲＡＭ１２のユーザ登録情報１２ａに登録されているそれぞれの項目コードに対応する設定項目を、ＲＯＭ１１のＤＶＤ項目テーブル１１ａから読み出し（Ｓ１３）、図３に示すようなお好みメニューを表示する画面情報を作成する（Ｓ１４）。また、制御部１０は、作成した画面情報を接続部１７から液晶テレビ２へ転送し（Ｓ１５）、液晶テレビ２は、記録再生装置１から取得した画面情報に従って、モニタ部２７にお好みメニューを表示させる（Ｓ１６）。
【００４８】
次に制御部１０は、リモコンコード解析部１４または操作キー解析部１９を介して入力されるコード信号に基づいて、ユーザによる上下キーおよび決定キーの操作によって設定項目が選択されたか否かを判断しており（Ｓ１７）、設定項目が選択されていないと判断した場合（Ｓ１７：ＮＯ）、液晶テレビ２のモニタ部２７によるお好みメニューの表示を続行し（Ｓ１６）、設定項目が選択されたと判断した場合（Ｓ１７：ＹＥＳ）、選択された設定項目に対応する処理命令を実行する（Ｓ１８）。具体的には、選択された設定項目を設定するためのメニュー画面情報をＲＯＭ１１から読み出して液晶テレビ２のモニタ部２７に表示させる。
【００４９】
上述したように、本発明の記録再生装置１では、ユーザの変更頻度の高い設定項目を一覧表示するメニュー画面であるお好みメニューを液晶テレビ２のモニタ部２７に表示させることにより、ユーザは、所望のメニュー画面を表示させるために煩雑なキー操作を行なう必要がなく、ユーザによる操作負担を軽減することができる。
【００５０】
また、上述した記録再生装置１において、所定のメニュー画面からの設定または所定の操作ボタンの操作に基づいて現在記録再生装置１を操作しているユーザを特定する構成を備え、複数のユーザのそれぞれに対応するお好みメニューを作成する構成とすることもできる。図６は複数のユーザに対応するお好みメニューを説明するための模式図である。この場合のユーザ登録画面では、図６（ａ）に示すように、各ユーザ（ユーザ１、ユーザ２、ユーザ３）毎に、それぞれの表記順序に応じた設定項目を選択することができる。
【００５１】
この場合、制御部１０は、図６（ａ）に示すようなユーザ登録画面に従って、記録再生装置１において実行させるべき処理を選択するユーザを示すユーザ情報、具体的には、ユーザ１、ユーザ２、ユーザ３の設定を受け付けるユーザ設定受付手段として動作し、設定を受け付けたユーザ毎に、表記順序に対応させて選択された各設定項目をユーザ登録情報１２ａとしてＲＡＭ１２に記憶させる。
【００５２】
従って、このようにユーザ毎にユーザ登録情報１２ａがＲＡＭ１２に登録された記録再生装置１において、ユーザがお好みメニューを液晶テレビ２のモニタ部２７に表示させるために所定の操作キーを操作した場合、図６（ｂ）で示すようなお好みメニューがモニタ部２７に表示される。ユーザは、このようなお好みメニューに従って、自身に対応するユーザを選択し、記録再生装置１の制御部１０は、ユーザの選択を受け付けるユーザ選択受付手段として動作し、選択を受け付けたユーザ（図６（ｂ）においては「ユーザ１」）に対応するお好みメニューを、図６（ｃ）に示すように液晶テレビ２のモニタ部１７に表示させることができる。また、ユーザは、このように自身が設定したお好みメニューに従って所望する設定項目を選択することにより、各種の設定条件を設定するためにモニタ部２７に表示させるメニュー画面を容易に選択して表示させることができる。
【００５３】
上述した実施の形態では、記録再生装置１におけるお好みメニューの登録処理及び表示処理について説明したが、液晶テレビ２におけるお好みメニューについても同様の方法によって登録及び表示させることができる。また、お好みメニューに登録できる設定項目としては、ユーザによって変更が可能な各種の設定条件だけでなく、記録再生装置１における各処理命令の実行指示、また、記録再生装置１が隠しコマンドとして有している機能の実行指示も登録することができる。この場合、お好みメニューに表記される各機能の実行指示を選択することのみによって、各機能に対応する処理命令を制御部１０に実行させることができる。
【００５４】
また、上述した実施の形態では、記録媒体としてＤＶＤを用いた記録再生装置１について説明したが、各種のメニュー画面を自身の装置の表示部に表示させる装置、または各種のメニュー画面を接続された液晶テレビ２に表示できる装置であればよい。
【図面の簡単な説明】
【００５５】
【図１】本発明に係る電気機器としての記録再生装置および液晶テレビの構成例を示すブロック図である。
【図２】お好みメニューへの登録処理を説明するための模式図である。
【図３】お好みメニューの構成例を示す模式図である。
【図４】本発明の記録再生装置によるお好みメニューの登録処理手順を示すフローチャートである。
【図５】本発明の記録再生装置によるお好みメニューの表示処理手順を示すフローチャートである。
【図６】複数のユーザに対応するお好みメニューを説明するための模式図である。
【符号の説明】
【００５６】
１  記録再生装置（電気機器）
１０  制御部（選択受付手段、実行手段、受付手段、作成手段、位置受付手段、ユーザ設定受付手段、ユーザ選択受付手段、出力手段）
１２  ＲＡＭ（コード記憶手段）
１７  接続部
２  液晶テレビ（電気機器）
２０  制御部（選択受付手段、実行手段、受付手段、作成手段、位置受付手段、ユーザ設定受付手段、ユーザ選択受付手段）
２２  ＲＡＭ（コード記憶手段）
２７  モニタ部（表示部）
【図１】
2005354184.tif 000003
【図２】
2005354184.tif 000004
【図３】
2005354184.tif 000005
【図４】
2005354184.tif 000006
【図５】
2005354184.tif 000007
【図６】
2005354184.tif 000008